(57)【特許請求の範囲】
【請求項１】
光源、前記光源が収容された筐体、および、前記筺体に設けられた口金を有するランプと、
前記口金が装着されて前記ランプの姿勢を保持する器具とを備え、
前記筐体は、第１筒状体と、当該第１筒状体よりも筒径の小さな第２筒状体とを有し、前記第１筒状体に前記第２筒状体がスライド自在に内挿されて、ランプ軸方向に伸縮調整自在であり、
前記ランプは、更に、前記第１筒状体と前記第２筒状体のスライド移動を制止するロック機構を備え、
前記第２筒状体は、前記第１筒状体に内挿される側の端部が先細り形状になっており、
前記ロック機構は、
前記第１筒状体と前記第２筒状体との間に介挿され、円板状の基部と、前記円板状の基部の外周縁からランプ軸方向に沿って延出した複数の舌片とで構成される籠型形状を有する制動部材と、
ランプ軸と同軸上に配され、前記制動部材の籠型形状の内部の空間に前記第２筒状体の先細り形状部分を挿入した状態で、前記制動部材を前記第２筒状体に保持するねじと、を備え、
前記第１筒状体の内側面には、ランプ軸方向に沿って伸びる縦溝が形成されると共に、前記制動部材の基部には、径方向に突出する突起部を有し、前記縦溝に前記突起部が係合することにより、前記第１筒状体に対する前記制動部材のランプ軸回りの回転が規制されており、
前記ねじは、前記制動部材と前記第２筒状体のいずれか一方に固定されると共に、他方に螺合しており、前記第１筒状体と前記第２筒状体をランプ軸回りに相対的に回転させて、前記ねじを螺入させることにより、前記第２筒状体の先細り形状部分が前記制動部材の基部に接近し、前記先細り形状部分の径のより大きい部分が前記舌片の自由端に係合して、当該自由端を径方向外側に押し広げて、前記第１の筒状体の内側面に圧接させることにより、前記スライド移動が制止される
ことを特徴とする照明装置。
【請求項２】
前記筺体は、伸縮調整自在な部分と、光源が収容される部分とから成り、
前記ランプは、更に、前記光源が収容される部分を前記伸縮調整自在な部分に対して回転自在、且つ、揺動自在に連結する連結機構を有する
ことを特徴とする請求項１に記載の照明装置。
【請求項３】
前記器具は、内部に前記ランプを収容するランプ収容部を有し、前記ランプ収容部の光射出側が開口しており、前記筺体を最長に延ばした状態において、前記ランプの発光面の少なくとも一部が、前記ランプ収容部の開口面よりも外部に露出する
ことを特徴とする請求項２に記載の照明装置。
【請求項４】
ランプの口金が装着されるソケットと、
前記ランプの少なくとも一部が収容される器具本体と、
前記ソケットと前記器具本体とを連結している筒状体とを備え、
前記筒状体は、第１筒状体と、当該第１筒状体よりも筒径の小さな第２筒状体とを有し、前記第１筒状体に前記第２筒状体がスライド自在に内挿されて、ランプ軸方向に伸縮調整自在であり、
前記筒状体は、更に、前記第１筒状体と前記第２筒状体のスライド移動を制止するロック機構を備え、
前記第２筒状体は、前記第１筒状体に内挿される側の端部が先細り形状になっており、
前記ロック機構は、
前記第１筒状体と前記第２筒状体との間に介挿され、円板状の基部と、前記円板状の基部の外周縁からランプ軸方向に沿って延出した複数の舌片とで構成される籠型形状を有する制動部材と、
ランプ軸と同軸上に配され、前記制動部材の籠型形状の内部の空間に前記第２筒状体の先細り形状部分を挿入した状態で、前記制動部材を前記第２筒状体に保持するねじと、を備え、
前記第１筒状体の内側面には、ランプ軸方向に沿って伸びる縦溝が形成されると共に、前記制動部材の基部には、径方向に突出する突起部を有し、前記縦溝に前記突起部が係合することにより、前記第１筒状体に対する前記制動部材のランプ軸回りの回転が規制されており、
前記ねじは、前記制動部材と前記第２筒状体のいずれか一方に固定されると共に、他方に螺合しており、前記第１筒状体と前記第２筒状体をランプ軸回りに相対的に回転させて、前記ねじを螺入させることにより、前記第２筒状体の先細り形状部分が前記制動部材の基部に接近し、前記先細り形状部分の径のより大きい部分が前記舌片の自由端に係合して、当該自由端を径方向外側に押し広げて、前記第１の筒状体の内側面に圧接させることにより、前記スライド移動が制止される
ことを特徴とする器具。
【請求項５】
光源および前記光源が収容された筐体を備えるランプと、
前記筺体と接続され、前記ランプの少なくとも一部が収容されるランプ収容部とを備え、
前記筺体は、第１筒状体と、当該第１筒状体よりも筒径の小さな第２筒状体とを有し、前記第１筒状体に前記第２筒状体がスライド自在に内挿されて、ランプ軸方向に伸縮調整自在であり、
前記ランプは、更に、前記第１筒状体と前記第２筒状体のスライド移動を制止するロック機構を備え、
前記第２筒状体は、前記第１筒状体に内挿される側の端部が先細り形状になっており、
前記ロック機構は、
前記第１筒状体と前記第２筒状体との間に介挿され、円板状の基部と、前記円板状の基部の外周縁からランプ軸方向に沿って延出した複数の舌片とで構成される籠型形状を有する制動部材と、
ランプ軸と同軸上に配され、前記制動部材の籠型形状の内部の空間に前記第２筒状体の先細り形状部分を挿入した状態で、前記制動部材を前記第２筒状体に保持するねじと、を備え、
前記第１筒状体の内側面には、ランプ軸方向に沿って伸びる縦溝が形成されると共に、前記制動部材の基部には、径方向に突出する突起部を有し、前記縦溝に前記突起部が係合することにより、前記第１筒状体に対する前記制動部材のランプ軸回りの回転が規制されており、
前記ねじは、前記制動部材と前記第２筒状体のいずれか一方に固定されると共に、他方に螺合しており、前記第１筒状体と前記第２筒状体をランプ軸回りに相対的に回転させて、前記ねじを螺入させることにより、前記第２筒状体の先細り形状部分が前記制動部材の基部に接近し、前記先細り形状部分の径のより大きい部分が前記舌片の自由端に係合して、当該自由端を径方向外側に押し広げて、前記第１の筒状体の内側面に圧接させることにより、前記スライド移動が制止される
ことを特徴とする照明装置。
【請求項６】
前記照明装置は、更に、
前記筺体に接続されたモータと、
前記筺体の伸縮度合に係る指示を外部から受け付ける指示検出回路と、
受け付けた前記指示に応じて前記筺体を伸縮させるために前記モータを駆動させるモータ駆動回路とを備える
ことを特徴とする請求項５に記載の照明装置。
【発明の詳細な説明】
【技術分野】
【０００１】
本発明は、照明装置およびランプを取り付けるための器具に関する。
【背景技術】
【０００２】
天井埋め込み型の器具にランプを取り付けるとき、ランプの形状によっては、うまく取り付けることができない場合がある。例えば、器具が天井から奥まった位置に設けられているために、ランプの口金が器具のソケットに届かない場合がある。逆に、器具が天井近くに設けられちるために、ランプを取り付けた状態で、ランプが天井から浮き上がった状態となり、奇異感を与える場合がある。口金がソケットに届かない場合には、特許文献１に記載されているようなアダプタをランプと器具との間に介挿すれば、ランプを器具に取り付けることができる。
【先行技術文献】
【特許文献】
【０００３】
【特許文献１】特開２００７−２６６８５号公報
【発明の概要】
【発明が解決しようとする課題】
【０００４】
しかし、ランプを購入したユーザは、ランプを取り付けようとして初めて、上述したような不具合に気付く場合が多い。そのため、ユーザは、例えば特許文献１に記載されているアダプタを別途用意する必要があり、購入したランプをすぐに使用することができず、不便さを感じる。
本発明は、上記の問題点に鑑みなされたものであって、天井埋め込み型の器具にランプを取り付ける際にも上述したような不具合が生じず、ユーザの利便性を向上させることができる照明装置および器具を提供することを目的とする。
【課題を解決するための手段】
【０００５】
上記の目的を達成するために、本発明の一態様である照明装置は、光源、前記光源が収容された筐体、および、前記筺体に設けられた口金を有するランプと、前記口金が装着されてランプの姿勢を保持する器具とを備える。ここで、前記筐体は、ランプ軸方向に伸縮調整自在で、且つ、調整された長さにおいてその形態を維持することを特徴とする。
また、本発明の一態様である器具は、ランプの口金が装着されるソケットと、前記ランプの少なくとも一部が収容される器具本体と、前記ソケットと前記器具本体とを連結している筒状体とを備え、前記筒状体は、ランプ軸方向に伸縮調整自在で、且つ、調整された長さにおいてその形態を維持することを特徴とする。
【０００６】
また、本発明の一態様である照明装置は、光源および前記光源が収容された筐体を備えるランプと、前記筺体と接続され、前記ランプの少なくとも一部が収容されるランプ収容部とを備える。ここで、前記筺体は、ランプ軸方向に伸縮調整自在で、且つ、調整された長さにおいてその形態を維持することを特徴とする。
【発明の効果】
【０００７】
ランプの取付時に口金がソケットに届かなかったり、ランプが天井から浮き上がった状態となり奇異感を与える場合であっても、本発明の一態様である照明装置を用いれば、筐体を適切な長さに伸縮調整し、その形態を維持することが可能である。そのため、ランプの取付時に生じる上記の不具合を解消して、ユーザの利便性を向上させることができる。
また、本発明の一態様である器具も、筒状体を適切な長さに伸縮調整し、その形態を維持することが可能であるため、同様に、ランプの取付時に生じる不具合を解消して、ユーザの利便性を向上させることができる。
【０００８】
更に、本発明の一態様である照明装置は、ランプと器具との一体型であって、器具に対してランプの位置を変更することが可能であるから、ランプの位置をユーザの好みに応じた位置に調節して使用することが可能となる。
【図面の簡単な説明】
【０００９】
【図１】（ａ）（ｂ）実施形態１に係るランプ１の斜視図
【図２】ランプ１の分解斜視図
【図３】ランプ１の一部断面図
【図４】（ａ）（ｂ）ストッパ部材４０のスライド機構について説明するための図
【図５】（ａ）（ｂ）ストッパ部材４０のロック機構について説明するための図
【図６】実施形態１の効果について説明するための図
【図７】（ａ）実施形態２に係るランプ１００の外観図（ｂ）ランプ１００の一部断面図
【図８】実施形態２の効果について説明するための図
【図９】（ａ）（ｂ）実施形態３に係る器具２００の断面図
【図１０】（ａ）実施形態４に係る照明装置３００の図（ｂ）回路ユニット３０４の機能的な構成を示すブロック図
【図１１】（ａ）（ｂ）変形例１に係るランプ４００の断面図
【図１２】（ａ）（ｂ）変形例２に係るランプ５００の断面図
【図１３】（ａ）（ｂ）変形例３に係るランプ６００の断面図
【図１４】（ａ）ランプ６００の断面図、（ｂ）ランプ６００の部分拡大図
【図１５】（ａ）（ｂ）爪部材６４０の変形例である板ばね状の爪部材６４０ａについて説明するための図
【図１６】（ａ）（ｂ）変形例４に係るランプ７００の斜視図
【図１７】ランプ７００の分解斜視図
【図１８】（ａ）外部ケース７５０の内周面の構造について説明するための断面図、（ｂ）ランプ７００のロック状態について説明するための図、（ｃ）ランプ７００のアンロック状態について説明するための図
【図１９】（ａ）ロック状態の爪部材７４０とロック機構７９０との位置関係について説明するための図、（ｂ）アンロック状態の爪部材７４０とロック機構７９０との位置関係について説明するための図
【図２０】（ａ）（ｂ）変形例５に係るランプ８００の斜視図
【図２１】ランプ８００の断面図
【発明を実施するための形態】
【００１０】
ここでは、本発明の実施形態に係るランプ、照明器具および照明装置について、図面を参照しながら説明する。
＜実施形態１＞
（１）ランプの概要
図１は、実施形態１に係るランプを示す斜視図である。
【００１１】
ランプ１は、一例として、ＬＥＤ（Ｌｉｇｈｔ Ｅｍｉｔｔｉｎｇ Ｄｉｏｄｅ）ランプであって、その全長が短くなったり長くなったり、変形が可能である。具体的に、図１（ａ）は、ランプ１の全長が最短になっている状態を示し、図１（ｂ）は、ランプ１の全長が最長になっている状態を示す。各図における二点鎖線Ａで囲んだ部分が伸縮することによって、ランプ１は、これらの２つの状態の間で、その全長を無段階に調節可能である。このような、筐体を適切な長さに伸縮調整し、その形態を維持する全長調節機能は、後述するスライド機構およびロック機構により実現されているが、これについての詳細は後述する。なお、本明細書において、ランプの全長とは、口金のねじ込み軸、すなわちランプ軸Ｊに沿った方向におけるランプの長さである。
【００１２】
（２）各部材の構成
図２は、実施形態１に係るランプを示す分解斜視図である。また、図３は、実施形態１に係るランプを示す断面図である。
図２に示すように、ランプ１は、グローブ１０、発光モジュール２０、基台３０、ストッパ部材４０、ケース５０、口金ホルダ６０、回路ユニット７０、および、口金８０などを備える。本実施形態では、ランプ１におけるグローブ１０側（図２における紙面上側）を上側と称し、口金８０側（図２における紙面下側）を下側と称する。
【００１３】
以下では、各部材について詳細に説明する。
（グローブ１０）
図３に示すように、グローブ１０は、上側に向けて拡径した朝顔形の外観形状を有し、上側に向けて拡径した円筒状の側壁１１と、側壁１１の上側開口１１ａを塞ぐ円板状の上壁１２とを備える。グローブ１０は、例えば、樹脂材料やガラス材料等の透光性の材料から構成されており、発光モジュール２０から出た光が、グローブ１０の外側に漏れるようになっている。
【００１４】
なお、グローブ１０の形状および材料は上記に限定されない。グローブ１０に光拡散処理を施し、発光モジュール２０から出た光がグローブ１０により拡散されて外側に漏れるようになっていてもよい。光拡散処理は、グローブ１０が樹脂材料から成る場合には、例えば、例えば樹脂に光拡散材を混合させることが考えられる。また、グローブ１０がガラス材料から成る場合には、グローブ１０の内側に光拡散膜を設けることが考えられる。
【００１５】
（発光モジュール２０）
発光モジュール２０は、ランプ１の光源であって、一例として、円板状の実装基板２１と、実装基板２１の上面２１ａに環状に配列された複数の発光部２２とを備える。実装基板２１は、セラミック基板や熱伝導樹脂等からなる絶縁層とアルミ板等からなる金属層との２層構造を有する。実装基板２１の上面２１ａには、配線パターン（不図示）が形成されている。配線パターンには、回路ユニット７０のリード線７１（図２参照）が接続されている。各発光部２２には、配線パターンを介して、回路ユニット７０からの電力が供給される。
【００１６】
各発光部２２は、一例として、青色光を発するＧａＮ系のＬＥＤを、青色光を黄色光に変換する波長変換部材である蛍光体粒子が混入された透明のシリコーン樹脂で封止したものである。青色光と黄色光とが混色することにより、各発光部２２は、白色光を出射する。
（基台３０）
基台３０は、円板状の上壁３１と、上壁３１の外周縁から下方に延出した円筒状の側壁３２とを備える。上壁３１の上面３１ａが発光モジュール２０を搭載するための搭載面となっており、発光モジュール２０は、実装基板２１の下面２１ｂを上壁３１の上面３１ａに面接触させた状態で基台３０に搭載されている。
【００１７】
また、側壁３２には下端部に円環状の鍔部３３が設けられている。グローブ１０をケース５０に取り付けた状態において、鍔部３３はグローブ１０の下端部とケース５０の上端部とによって挟持される。これにより、基台３０がケース５０に固定される。
ここで、基台３０は、熱伝導性および電気的絶縁性に優れた材料で形成されていることが好ましい。これにより、発光モジュール２０で発生した熱を効率良くケース５０およびグローブ１０に逃がすことができ、更に、発光モジュール２０とストッパ部材４０との電気的な絶縁を確保することができる。
【００１８】
熱伝導性および電気的絶縁性に優れた材料としては、ポリプロピレン、ポリプロピレンサルファイド、ポリカーボネート、ポリエーテルイミド、ポリフェニレンサルファイド、ポリフェニレンオキサイド、ポリサルフォン等の樹脂が挙げられる。更に、ポリブチレンテレフタレート、ポリアミド、ポリエチレンテレフタレート、ポリエーテルサルフォン、ポリフタールアミド等の樹脂を用いてもよい。なお、基台３０は、樹脂に限らず、金属やセラミック等で形成されていてもよい。
【００１９】
（ストッパ部材４０）
ストッパ部材４０は、円板状の基部４１と、基部４１の外周縁から下方に向けて延出した、板バネとして機能する複数の舌片４２とを備えた籠型形状である。ストッパ部材４０の外径（基部４１の径、および、ランプ軸Ｊを挟んで対向する一対の舌片４２の外側面間の距離）はケース５０の内径よりも僅かに小さい。ストッパ部材４０はケース５０の内部に収容されている。
【００２０】
ストッパ部材４０は、上述した全長調節機能を実現するための、スライド機構およびロック機構を備える。
（スライド機構）
先ず、スライド機構について説明する。
図４は、ストッパ部材４０とケース５０との係合の態様を説明するための断面図である。図４では、ストッパ部材４０、ケース５０、ねじ９０以外の部材は省略している。図４（ａ）および（ｂ）に示すように、ストッパ部材４０の基部４１の中央には、ねじ９０を挿通させるための貫通孔４１ａが設けられている。貫通孔４１ａにはねじ９０が上方から差し込まれており、ねじ９０は、基部４１に固定されている。すなわち、ねじ９０は、基部４１に対してランプ軸Ｊを軸とする回転方向に回転不可能である。また、ねじ９０は、基部４１に対してランプ軸Ｊに沿った方向にも移動不可能である。なお、ねじ９０を基部４１へ固定する方法は、如何なる方法を用いてもよい。例えば、接着、溶接、ナット締め等が考えられる。
【００２１】
基部４１の外周縁には、貫通孔４１ａを挟んで対向する２箇所に、一対の突起４１ｂが設けられている。更に、基部４１には、貫通孔４１ａを挟んで対向する２箇所に、リード線７１を引き出すための開口４１ｃが設けられている。また、ケース５０の内周面５１には、ストッパ部材４０の突起４１ｂに対応する位置に、ランプ軸Ｊ方向に沿って延伸する一対の溝部５１ａが形成されている。そして、ストッパ部材４０の一対の突起４１ｂは、ケース５０の一対の溝部５１ａにそれぞれ嵌り込んでいる。
【００２２】
各突起４１ｂは、各溝部５１ａ内を溝部５１ａの延伸方向（ランプ軸Ｊ方向）に移動可能である。したがって、ストッパ部材４０は、ケース５０に対して図４における矢印に沿った方向（ランプ軸Ｊ方向）にスライド可能になっている。これが、全長調節機能を実現するためのスライド機構である。
なお、各突起４１ｂは、各溝部５１ａの内壁に規制されるため、ケース５０に対してランプ軸Ｊを中心とする回転方向には移動不可能である。したがって、ストッパ部材４０は、ケース５０に対してランプ軸Ｊを中心とする回転方向には回転不可能である。そのため、ケース５０を回転させるとストッパ部材４０も回転する。
【００２３】
（ロック機構）
次に、ロック機構について説明する。
ストッパ部材４０と口金ホルダ６０とは、ねじ９０を介して一体に連結されている。具体的には、口金ホルダ６０の上壁６２にはねじ穴６２ａが設けられており、ねじ穴６２ａに、ストッパ部材４０の基部４１に固定されたねじ９０の先端がねじ込まれている。ストッパ部材４０の複数の舌片４２は、ランプ軸Ｊを取り囲むようにして間隔を空けながら環状に配置されており、それら舌片４２で取り囲まれた円柱状の空間４３（図４参照）内に、口金ホルダ６０の上端部６１が下方から差し込まれている。
【００２４】
図５は、ストッパ部材４０の変形の態様を説明するための図である。図５（ａ）は各舌片４２が閉じた状態を示し、図５（ｂ）は各舌片４２が開いた状態を示している。なお、図５では、ストッパ部材４０、口金ホルダ６０、ねじ９０以外の部材は省略している。
図５（ａ）および図５（ｂ）に示すように、各舌片４２は、その下端である延出端４２ａが自由端であるため、片持ちバネとして機能する。一方、口金ホルダ６０の上端部６１は、上側に向けて漸次縮径した先細り形状になっている。
【００２５】
口金ホルダ６０の上端部６１が空間４３内に浅く差し込まれている状態では、図５（ａ）に示すように、先細りした上端部６１は舌片４２とは接触しない。そのため、舌片４２へは上端部６１による応力が加わらない。したがって、各舌片４２はランプ軸Ｊと平行な状態のままである。
ところが、口金ホルダ６０の上端部６１が空間４３内に深く差し込まれると、図５（ｂ）に示すように、上端部６１が各舌片４２のランプ軸Ｊ側の面に接触する。更に深く差し込まれることで、各舌片４２の下側が上端部６１に押されて外側（ランプ軸Ｊと反対側）に反り返る。その反り返り幅は、口金ホルダ６０の上端部６１が空間４３内に深く差し込まれるほど大きくなる。そして、舌片４２の反り返り幅が一定量を超えると、各舌片４２の延出端４２ａがケース５０の内周面５１に当たる。そうすると、摩擦によって舌片４２の延出端４２ａがケース５０の内周面５１に引っ掛かり、ケース５０に対するストッパ部材４０のランプ軸Ｊ方向へのスライドが規制される。
【００２６】
なお、スライドの規制は摩擦に限定されない。例えば、ケース５０の内周面５１に凸部を設けて、その凸部に舌片４２の延出端４２ａが引っ掛かってスライドが規制される構成であってもよい。
上述したように、ケース５０を回転させるとストッパ部材４０も回転する。したがって、口金ホルダ６０を固定した状態においてケース５０を回転させると、固定されたねじ９０に対してストッパ部材４０の基部４１が回転し、ねじ９０が上壁６２のねじ穴６２ａにねじ込まれる。そうすると、基部４１が口金ホルダ６０に近づき、口金ホルダ６０の上端部６１がストッパ部材４０の空間４３内に差し込まれる。それにより、ストッパ部材４０の舌片４２が反り返り、延出端４２ａがケース５０の内周面５１に引っ掛かる。その結果、ストッパ部材４０のケース５０に対するランプ軸Ｊ方向へのスライドが規制される。すなわち、口金ホルダ６０に対してケース５０を回転させると、ストッパ部材４０および口金ホルダ６０に対してケース５０が固定される。すなわち、ストッパ部材４０がケース５０に対してランプ軸Ｊに沿ってスライド移動ができなくなりロックされる。これが、全長調節機能を実現するためのロック機構である。
【００２７】
口金ホルダ６０に対してケース５０をランプ軸Ｊを中心に右回転させると、口金ホルダ６０に対するケース５０のランプ軸Ｊ方向に沿った方向へのスライド移動が規制されるロックオン状態になる。逆に、口金ホルダ６０に対してケース５０をランプ軸Ｊを中心に左回転させると、口金ホルダ６０に対するケース５０のランプ軸Ｊに沿った方向へのスライド移動の規制が解除されロックオフ状態になる。ロックオフ状態のとき、口金ホルダ６０に対してケース５０をスライド移動させてランプ１の全長を調節することができる。その後、ケース５０を右回転させてロックオン状態にすることで、ランプ１の全長をその調節した長さで固定することができる。
【００２８】
ここで、舌片４２の延出端４２ａがケース５０の下端部５１ｂの内周面５１に引っ掛かってロックオンされている状態が、ランプ１の最長の状態である。一方、口金ホルダ６０の鍔部６３が、ケース５０の下端部５１ｂに当接した状態で、ロックオンされている状態が、ランプ１の最短の状態である。
なお、ストッパ部材４０は、舌片４２に適度な曲げ弾性を有する材料で形成されていることが好ましい。そのような材料としては、錫、亜鉛、インジウム、鉄、銅、銀、ニッケル、ロジウム、パラジウム等の単一の金属元素からなる純金属、複数の金属元素からなる合金、金属元素と非金属元素とからなる合金等の金属材料が挙げられる。
【００２９】
（ケース５０）
図２に戻って、ケース５０は、上下両側が開口した円筒状である。ケース５０の上側開口５２は基台３０によって塞がれており、ケース５０の上端部５３にはグローブ１０が取り付けられている。ケース５０へのグローブ１０の取り付けは、グローブ１０の下端部（側壁１１の下端部１１ｂ）の外周面に設けられた複数の突起１１ｃを、ケース５０の上端部５３の内周面に設けられた係合溝５４に係合させることで行われている。ケース５０は、熱伝導性に優れた樹脂材料や金属材料で形成されていることが好ましく、本実施形態では樹脂材料で形成されている。
【００３０】
（口金ホルダ６０）
口金ホルダ６０は、円筒状であって内部に回路ユニット７０が収容されている。口金ホルダ６０の上端部６１はケース５０の内部に収容され、下端部には口金８０が外嵌されている。口金ホルダ６０の下端部には開口が設けられており、開口からは回路ユニット７０のリード線７２および７３が引き出され、それぞれ口金８０のシェル部８１およびアイレット部８２に接続されている。また、口金ホルダ６０の上側には、リード線７１を引き出すための開口６４が設けられている。
【００３１】
（回路ユニット７０）
回路ユニット７０は、回路基板と、当該回路基板に実装された各種の電子部品とを有する。回路ユニット７０は、回路基板の主面がランプ軸Ｊに対して平行を保つ姿勢いわゆる縦置きの姿勢で、口金ホルダ６０の内部に収容されている。
回路ユニット７０と発光モジュール２０とは、リード線７１を介して電気的に接続されている。また、回路ユニット７０と口金８０とはリード線を７２および７３介して電気的に接続されている。ここで、ランプ１の全長が最長の状態においても、回路ユニット７０と発光モジュール２０との電気的接続が遮断されないように、リード線７１は十分な長さを有している。
【００３２】
（口金８０）
口金８０は、ランプ１が器具に取り付けられ点灯された際に、器具のソケットから電力を受けるための部材であって、本実施形態ではエジソンタイプ（ねじ込みタイプ）であるＥ２６口金を使用している。口金８０はシェル部８１およびアイレット部８２を備え、それらシェル部８１およびアイレット部８２がそれぞれリード線７２および７３により、回路ユニット７０と電気的に接続されている。
【００３３】
器具のソケットに対して口金８０をランプ軸Ｊを中心に右回転させると、器具にランプ１を固定することができる。逆に、器具のソケットに対して口金８０をランプ軸Ｊを中心に左回転させると、器具からランプ１を取り外すことができる。
なお、口金８０は、Ｅ２６形に限定されない。同じエジソンタイプのＥ１１形やＥ１７形の口金であってもよい。また、エジソンタイプ以外の口金であってもよい。例えば、口金８０は、ピン形の端子を有するピンタイプの口金（具体的にはＧＹ、ＧＸ等のＧタイプ）や、Ｌ字形の端子を有する口金であってもよい。
【００３４】
（３）効果
ここでは、図６を用いて本実施形態の効果について説明する。
図６は、天井板２に埋め込まれた器具３にランプ１を取り付けた状態を示している。ここで、器具３は、収容部３ａ、ソケット３ｂおよび複数の板ばね状の掛止部材３ｃを含み、収容部３ａは、その開口部から外側へ向かって延設された鍔部を有する。器具３は、収容部３ａおよびソケット３ｂを天井板２の埋込孔に埋め込まれる。そして、収容部３ａの鍔部を天井板２の下面２ａに当接した状態で、掛止部材３ｃを天井板２の埋込孔に掛止させることによって、天井板２に取り付けられている。ランプ１は、このようにして天井板２に埋め込まれた器具３のソケット３ｂに取り付けられる。
【００３５】
二点鎖線で記載されているランプ１は、天井板２の下面２ａから浮き上がった状態となり、奇異感を与える。また、二点鎖線で記載されているランプ１は、天井板２の下面２ａとグローブ１０との間に隙間が空いている。この場合、グローブ１０の側壁１１から漏れる光によって、ユーザによっては眩しさを感じることがある。
一方、実線で記載されているランプ１は、天井板２の下面２ａとグローブ１０との間の隙間が無くなるように、上記のスライド機構およびロック機構により、その全長が調節されている。
【００３６】
このように、本実施形態のランプ１は、取り付ける天井板２や器具３との位置関係に依存することなく、天井板２の下面２ａに密接するように取り付けることができる。これにより、本実施形態のランプ１は、ユーザに奇異感を与えること無く、また、眩しさを抑えつつ室内全体を明るく照らすことができる。
また、上述したように、ランプ１を器具に取り付けるためのランプ軸Ｊ方向に対するランプ１の回転方向と、口金ホルダ６０に対してケース５０を固定状態とするための、ランプ軸Ｊ方向に対するケース５０の回転方向とが一致する。したがって、本実施形態に係るランプ１を用いれば、ユーザがランプ１を器具３に取りつける際に、ケース５０を把持しながら回転させた場合であっても、ロック機構が外れてケース５０がスライドすることを抑制することができる。
【００３７】
＜実施形態２＞
（１）ランプの構成
図７は、実施形態２に係るランプ１００を示す図である。
ランプ１００は、実施形態１に係るランプ１と同様に、ＬＥＤランプである。また、ランプ１００は、ランプ１と同様に、スライド機構およびロック機構を備える。すなわち、ランプ１００は、口金ホルダ６０に対してケース１５０をスライド移動することが可能であり、その全長が短くなったり長くなったり、変形が可能である。
【００３８】
ランプ１００は、実施形態１のランプ１と異なり、グローブ１０を備えていない。また、ランプ１００は、円筒形の光源収容部１１０を備え、光源収容部１１０の内部に発光モジュール２０を収容している。
光源収容部１１０は、ランプ軸Ｊを軸として回転自在、且つ、ランプ軸Ｊに対して揺動自在にケース１５０に連結されている。これは、ケース１５０に設けられた軸部１５１の先端の球状部分１５２を、光源収容部１１０に設けられた軸受部１１１の球状の窪み部分１１２に嵌め込むことにより実現される。
【００３９】
すなわち、ランプ１００は、光源収容部１１０を、図７（ａ）のようにランプ軸Ｊ方向と平行な方向に向けたり、図７（ｂ）のようにランプ軸Ｊ方向に対して傾斜させたりすることができる。
発光モジュール２０は、円筒形の光源収容部１１０の開口１１３に向けて軸受部１１１上に取り付けられている。そのため、光源収容部１１０をケース１５０に対して傾斜させると、それに伴い発光モジュール２０の傾斜角度が変化し、発光モジュール２０から出射される光の照射角度が変化する。また、光源収容部１１０の内面１１４は、光反射面が形成さており、発光モジュールから出射された光は、光反射面により反射される。光源収容部１１０には、更に、開口１１３を塞ぐように拡散板が設けられていてもよい。
【００４０】
なお、光源収容部１１０は、その外周面１１５がケース１５０の内周面の端部１５３に当接するまで傾斜させることができる。したがって、図７（ｂ）は、光源収容部１１０を最大の傾斜角度で傾斜させている状態を示している。
（２）効果
続いて、図８を用いて本実施形態の効果について説明する。
【００４１】
図８は、天井板２に埋め込まれた器具３にランプ１００を取り付けた状態を示している。天井板２への器具３の取り付けは、実施形態１で説明したとおりである。
ランプ１００は、天井板２に埋め込まれた器具３のソケット３ｂに取り付けられる。
二点鎖線で記載されているランプ１００は、ケース１５０に対して、光源収容部１１０を最大の傾斜角度で傾斜させている。そうすると、光照射面である開口１１３は、その一部が器具３の収容部３ａ内に収容され、収容部３ａの側壁により光の一部は、遮断される。一方、実線で記載されているランプ１００は、光照射面である開口１１３が収容部３ａから露出するように、スライド機構およびロック機構により、その全長が調節されている。
【００４２】
このように、本実施形態のランプ１００は、取り付ける天井板２や器具３との位置関係に依存することなく、光照射面を器具３の外部に露出させ、照射される光が器具３により遮断されるのを防止することができる。
＜実施形態３＞
上記の実施形態１および実施形態２では、ランプの全長が、ランプ軸方向に対して伸縮するスライド機構およびロック機構を備えたランプの実施形態について説明した。しかし、スライド機構およびロック機構を、ランプ側ではなくランプを取りつけるために用いられる器具側に備えていてもよい。
【００４３】
そこで、本実施形態では、スライド機構およびロック機構を備えた器具について説明する。
図９は、実施形態２に係る器具２００の断面図である。図９（ａ）は、器具２００の全長が最短になっている状態を示し、図９（ｂ）は、器具２００の全長が最長になっている状態を示す。器具２００は、図９（ａ）の状態と図９（ｂ）の状態との間で、その全長を無段階に調節可能である。なお、本明細書において、器具の全長とは、口金のねじ込み軸に沿った方向におけるソケットの長さである。
【００４４】
器具２００は、図９に示すように、器具本体２１０、ストッパ部材４０、筒状体２５０、ソケットホルダ２６０およびソケット２８０を備える。ここで、ストッパ部材４０については、実施形態１で説明したとおりであるため、詳細な説明は省略する。また、
（器具本体２１０）
器具本体２１０は、例えば金属製であって、有底円筒形の収容部２１０ａと、収容部２１０ａの開口部に設けられた円環状の鍔部２１０ｂと、複数の板バネ状の掛止部材２１０ｃとから構成される。収容部２１０ａの底面には、筒状体２５０が固定されている。器具２００は、取り付ける天井板の埋込孔に収容部２１０ａを埋め込み、鍔部２１０ｂを天井板の下面に当接した状態で、掛止部材２１０ｃを天井板の埋込孔に掛止させることによって、取り付けられている。
【００４５】
なお、本実施形態では、器具２００における収容部２１０ａの底面側を（図９における紙面上側）を上側と称し、ソケット２８０側（図９における紙面下側）を下側と称する。
（筒状体２５０）
筒状体２５０は、実施形態１のケース５０に対応しており、上下両側が開口した円筒状である。筒状体２５０の内周面には、ストッパ部材４０の一対の突起４１ｂを嵌め込むための一対の溝部２５１ａが形成されている。筒状体２５０の上端部は器具本体２１０の収容部２１０ａに固定されており、上側開口は収容部２１０ａによって塞がれている。したがって、溝部２５１ａにストッパ部材４０の突起４１ｂが嵌め込まれると、ストッパ部材４０は、筒状体２５０に対してスライド移動は可能であるが、回転は不可能である。また、筒状体２５０の下側開口には、ソケットホルダ２６０が差し込まれている。
【００４６】
（ソケットホルダ２６０）
ソケットホルダ２６０は、実施形態１の口金ホルダ６０に対応しており、円筒状であって、上端部は、上側に向けて漸次縮径した先細り形状になっている。ソケットホルダ２６０は、ねじ９０を介してストッパ部材４０と一体に連結されている。ストッパ部材４０が連結されている上端部は、筒状体２５０の内部に収容されている。また、下端部にはソケット２８０が外嵌されている。
【００４７】
上述したように、ストッパ部材４０は、筒状体２５０に対してスライド移動が可能であり、且つ、回転が不可能である。したがって、ソケットホルダ２６０を右回転させると、ソケットホルダ２６０がストッパ部材４０に深く入り込む。その結果、舌片４２が筒状体２５０の内周面に当接し、筒状体２５０に対するソケットホルダ２６０のスライド移動が規制される。一方、ソケットホルダ２６０を左回転させると、ソケットホルダ２６０がストッパ部材４０に浅く入り込む。その結果、舌片４２が筒状体２５０の内周面から離れ、筒状体２５０に対するソケットホルダ２６０のスライド移動が可能となる。
【００４８】
スライド移動が可能な状態で、ソケットホルダ２６０の長さを所望の長さに伸ばし、再度ソケットホルダ２６０を右回転させることで、器具２００を所望の長さで固定することができる。
（ソケット２８０）
ソケット２８０は、雌ねじ部２８１と突起２８２とを備え、これらは給電線２８３を介して、図示していない外部電源と接続されている。ここで、給電線２８３は、ソケットホルダ２６０の開口２６４とストッパ部材４０の開口４１ｃとを通って、外部電源に接続される。なお、ソケットホルダ２６０がスライドして器具２００の全長が伸びたとしても電気的接続が切断されないために、給電線２８３は、十分な長さが確保されている。本実施形態のソケット２８０は、一例として、エジソンタイプ（ねじ込みタイプ）であるＥ２６を使用している。ソケット２８０にはランプの口金がねじ込まれ、外部電源からランプの発光部へ電力が供給される。
【００４９】
＜実施形態４＞
ここでは、ランプと器具とが一体となった照明装置の実施形態について説明する。
図１０（ａ）は、本実施形態に係る照明装置３００の構成を示す概略図である。同図に示すように、照明装置３００は、ランプ３０１、器具３０２、操作部３０３、回路ユニット３０４、およびモータ３０５から構成される。
【００５０】
ランプ３０１は、実施形態１のランプ１と同様に、グローブ１０、発光モジュール（不図示）、基台（不図示）、ストッパ部材（不図示）、ケース５０、器具連結部６０などを備える。
グローブ１０、発光モジュール、基台、ストッパ部材およびケース５０は、実施形態１と同一である。器具連結部６０は、実施形態１の口金ホルダ６０とその構造は同一であるが、口金が外嵌されていない。器具連結部６０の一端はケース５０に収容されており、他端は器具３０２に連結されている。
【００５１】
すなわち、本実施形態のランプ３０１は口金を備えていない。本実施形態では、発光モジュールから引き出されたリード線７２および７３は、ケース５０および器具連結部６０を通って、コネクタ３０６に接続される。
また、ランプ３０１は、実施形態１で説明したスライド機構およびロック機構を備える。ケース５０を器具連結部６０に対してスライド移動させて、任意の位置で固定することにより、ランプ３０１は、その全長を調節することができる。
【００５２】
器具３２０は、例えば金属製であって、ランプ収容部３２０ａ、回路収容部３２０ｂおよび鍔部３２０ｃを有する。ランプ収容部３２０ａは、例えば有底円筒状であって、内部にランプ３０１が取り付けられている。回路収容部３２０ｂは、ランプ収容部３２０ａの底側に延設されており、内部に回路ユニット３０４が収容されている。鍔部３２０ｃは、例えば円環状であって、ランプ収容部３２０ａの開口部から外方へ向けて延設されている。
【００５３】
操作部３０３は、ユーザがランプ３０１をオン／オフするためのロッカースイッチやタッチスイッチ、および、ユーザがランプ３０１の全長を所望の長さに調節するためのつまみを備える。操作部３０３は、ユーザの操作を受け付けると、操作に対応した指示を、回路ユニット３０４に出力する。
例えば、つまみを右回転させるとランプ３０１の全長を長くすることができ、つまみを左回転させるとランプ３０１の全長を短くすることができる。また、つまみの回転量によって伸縮する量（スライドする量）を調節することができる。この場合、操作部３０３は、つまみの回転方向および回転量を、回路ユニット３０４に出力する。
【００５４】
回路ユニット３０４は、外部電源（不図示）と電気的に接続されており、外部電源から入力される電流を、ランプ３０１の発光モジュールに供給して、ランプ３０１を点灯させる。回路ユニット３０４には、電源線３０７ａが接続されており、電源線３０７ａの先端には、ランプ３０１のリード線のコネクタ３０６と着脱自在に接続されるコネクタ３０７ｂが取り付けられている。更に、回路ユニット３０４は、モータ３０５と接続されており、ランプ３０１の長さを調節するためにモータ３０５を駆動させる。回路ユニット３０４の詳細については後述する。
【００５５】
モータ３０５は、ケース５０に接続されている。モータ３０５は、ケース５０を回転させてロックオフ、ケース５０を器具連結部６０に対してスライドして長さ調節、更にケース５０を反対に回転させてロックオンの一連の動きを機械的に自動で行うためのモータである。
図１０（ｂ）は、回路ユニット３０４の機能構成を示す図である。同図に示すように、回路ユニット３０４は、指示検出回路部３０４ａ、制御回路部３０４ｂ、モータ駆動回路部３０４ｃおよび点灯回路部３０４ｄをユニット化したものである。
【００５６】
指示検出回路部３０４ａは、操作部３０３と接続されており、操作部３０３から出力されたユーザ操作に対応する指示を取得する。指示検出回路部３０４ａは、取得した指示を、制御回路部３０４ｂへ出力する。
制御回路部３０４ｂは、マイクロプロセッサとメモリとを備えている。一例として、メモリには、つまみの回転方向に応じたモータの回転方向およびつまみの回転量に応じたモータの駆動時間を記載したテーブルを記憶している。マイクロプロセッサは、指示検出回路部３０４ａから取得した指示を、記憶しているテーブルに照らし合わせて、モータ３０５の駆動条件を決定する。制御回路部３０４ｂは、モータ駆動回路部３０４ｃへ駆動条件を出力する。更に、制御回路部３０４ｂは、指示検出回路部３０４ａから取得した指示に応じて、点灯／消灯を示す指示を点灯回路部３０４ｄへ出力する。
【００５７】
モータ駆動回路部３０４ｃは、制御回路部３０４ｂから取得した駆動条件に従って、モータ３０５を駆動させる。
点灯回路部３０４ｄは、ＡＣ／ＤＣコンバータを備え、制御回路部３０４ｂから点灯を指示されると、外部電源からの交流電圧を、ＡＣ／ＤＣコンバータを用いて直流電圧に変換する。そして、発光部に適した直流電圧を順電圧として、発光部に印加する。なお、ＡＣ／ＤＣコンバータとしては、例えばダイオードブリッジ等が用いられる。点灯回路部３０４ｄは、制御回路部３０４ｂから消灯を指示されると、発光部に印加していた電圧を除去する。
【００５８】
このように、本実施形態の照明装置３００は、器具３０２に対するランプ３０１の位置を調節して、その形態を維持することが可能である。既に説明したように、グローブ１０は透光性材料で構成されているため、グローブ１０の側壁１１からは光が漏れるようになっている。そこで、器具３０２に対するランプ３０１の位置を調節することで、グローブ１０の側壁１１から漏れる光の量をユーザの好みに合わせて調節することが可能となる。
【００５９】
＜その他の変形例＞
以上、本発明に係る照明装置および器具の一例として、ランプ、器具、照明装置の実施形態を説明したが、例示したランプ、器具および照明装置を以下のように変形することも可能である。本発明が上述の実施形態で示した通りのランプ、器具および照明装置に限られないことは勿論である。
【００６０】
（１）上記の実施形態１〜４では、ストッパ部材、ケース、口金ホルダ、ねじによるスライド機構およびロック機構によって、全長調節機能を実現する構成であった。しかし、本発明の照明装置および器具における全長調節機能は、上記の実施形態で説明したとおりのスライド機構およびロック機構で実現する場合に限定されない。例えば、図１１に示す構成で実現してもよい。
【００６１】
図１１は、変形例１に係るランプ４００の構成を示す断面図である。ランプ４００では、口金ホルダ４６０の側壁に、ランプ軸方向に所定の間隔を開けて４個の貫通孔４６１が設けられている。更に、ランプ軸を中心として、各貫通孔４６１と対向する位置にも４個の貫通孔４６１が設けられている。
また、ケース４５０の側壁には、貫通孔４６１と同程度の径の貫通孔４５１が、ランプ軸を中心として対向する位置に２個設けられている。
【００６２】
ケース４５０は、実施形態１と同様に、口金ホルダ４６０に対してスライド移動が可能である。そして、ケース４５０の貫通孔４５１と口金ホルダ４６０の貫通孔４６１との位置を合わせて、そこに、ケース４５０の外部からピン４４０を挿入することにより、口金ホルダ４６０に対するケース４５０のスライド移動を制止する。
図１１（ａ）および（ｂ）に示すように、ピン４４０を挿入する貫通孔４６１の位置を変更することで、ケース４５０および口金ホルダ４６０から成る筐体を適切な長さに伸縮調整し、その形態を維持することが可能である。これにより、ランプ４００は、全長調節機能を実現することが可能となる。
【００６３】
なお、図１１では、口金ホルダ４６０に８個の貫通孔４６１が設けられ、ケース４５０に２個の貫通孔４５１が設けられている例を記載しているが、穿設される貫通孔の数は、これに限定されない。全長調節機能を実現するために、ケース４５０および口金ホルダ４６０の一方には、伸縮方向（ランプ軸方向）に間隔を開けて、少なくとも２個の貫通孔を設ける必要がある。また、ケース４５０および口金ホルダ４６０の他方には、少なくとも１個の貫通孔を設ける必要がある。これにより少なくともランプの全長を２段階に調節することが可能である。
【００６４】
（２）続いて、全長調節機能の更なる別の変形例について説明する。図１２のランプ５００は、変形例２に係るランプ５００の構成を示す断面図である。同図に示すように、ランプ５００は、実施形態１で説明したケース５０と口金ホルダ６０とが一体となった蛇腹管５５０を備える。蛇腹管５５０は、伸縮性があり且つ形状を保持できる適度な硬さを有する樹脂やゴムなどの材料で構成される。蛇腹管５５０の光源側の端部５５１には、基台３０が嵌め込まれ、基台３０上に発光モジュール２０が搭載されている。蛇腹管５５０の口金側の端部５５２は伸縮せず、口金８０が外嵌されている。
【００６５】
図１２（ａ）および（ｂ）に示すように、蛇腹管５５０である筺体は、適切な長さに伸縮調整されて、その形態を維持することが可能である。これにより、ランプ５００は、全長調節機能を実現することが可能となる。
なお、図１２に記載の蛇腹管５５０は、端部５５２以外の全体が伸縮する構造であるが、この構造は必須ではない。口金８０と発光モジュール２０との間の距離が長くなったり短くなったりするように、口金８０と発光モジュール２０との間の少なくとも一部分が伸縮する構造であれば足りる。
【００６６】
変形例１，２以外の構成であっても、
（３）ここでは、本発明に係る照明装置の更なる別の変形例について説明する。
図１３は、変形例３に係るランプ６００の断面図である。図１３（ａ）は、ランプ６００の全長が最長となっている状態を示し、図１３（ｂ）は、ランプ６００の全長が最短となっている状態を示す。また、図１４（ａ）は、図１３（ｂ）のＢ−Ｂ´線における矢視断面図である。また、図１４（ｂ）は、図１４（ａ）において二点鎖線で囲んだＣの部分拡大図である。
【００６７】
図１３に示すように、ランプ６００は、拡散カバー６１０、発光モジュール６２０、反射部材６３０、つめ部材６４０、外部ケース６５０、回路ケース（口金ホルダ）６６０、口金８０、および、回路ユニット（不図示）から構成される。また、外部ケース６５０と回路ケース６６０とはスライド自在に嵌合されている。
図１３および図１４では、ランプ６００の伸縮構造を図示するために、回路ユニットの記載は省略している。本来であれば、回路ケース６６０の内部に回路ユニットが内挿されている。
【００６８】
この回路ユニットからは、口金８０に接続するためのリード線と、発光モジュール６２０に接続するためのリード線７１とが伸びている。リード線７１は、図１３に示すように、反射部材６３０の基部６３１に設けられた開口を通って、発光モジュール６２０の実装基板６２１に接続される。実装基板６２１には配線パターン（不図示）が形成されており、配線パターンを介して、回路ユニットから発光部６２２へ電力が供給される。
【００６９】
回路ケース６６０は、樹脂製の円筒形状であり、その一端には口金８０が連結されている。すなわち、回路ケース６６０は、実施形態の口金ホルダに相当する。また、口金８０が連結されている端部の反対側の端部には、２か所の切り込みが設けられており、この切り込みによって舌片６６１が形成されている。
図１４（ｂ）に示すように、舌片６６１のＹ軸方向の厚みは、回路ケース６６０のＹ軸方向の厚みよりも薄く、舌片６６１の先端側には、外部ケース６５０側へ向けて爪部材６４０が突出している。本変形例では、爪部材６４０として金属製のねじを用いている。舌片６６１の先端側にはねじ孔６６２が穿設されており、ねじ孔６６２にねじが挿入され、ねじは、抜け止め、接着剤、溶接等により舌片６６１に固定されている。
【００７０】
外部ケース６５０は、樹脂製であって、図１３に示すように、円筒形状を有し、回路ケース６６０と嵌合する円筒部分と、上側へ向けて拡径した朝顔形の外観形状を有し、内部に発光モジュールを収容する拡径部分とから成る。
円筒部分の径は回路ケース６６０の径よりも若干大きく、外部ケース６６０には回路ケース６６０が内挿されている。拡径部分の内周面には、同一形状の反射部材６３０が設けられており、反射部材６３０の基部６３１には、発光モジュール６２０が搭載されている。外部ケース６５０は、実施形態のケースに相当する。
【００７１】
図１３、図１４に示すように、外部ケース６５０の内周面には、金属製の爪受け部材６５１が取り付けられており、爪受け部材６５１には、爪部材６４０を係止させるための複数個の孔６５２がランプ軸方向（Ｚ軸方向）に等間隔で穿設されている。
図１４（ｂ）に示すように、爪部材６４０は、爪受け部材６５１に設けられた複数の孔６５２の何れかに引っ掛って止まり、外力が加わらなければ、その状態を維持する。
【００７２】
外部ケース６５０および回路ケース６６０は樹脂製である。そのため、ユーザが外部ケース６５０および回路ケース６６０から成る筐体に対し、ランプ軸方向（Ｚ軸方向）に相対的に引っ張ったり縮めたりする力を加えると、外部ケース６５０および回路ケース６６０はある程度歪む。それにより、爪部材６４０にも応力がかかり、ある一つの孔６５２に係止していた爪部材６４０は、該孔６５２から外れて、爪受け部材６５１の上をスライドし、隣の孔６５２に引っ掛かって止まる。
【００７３】
このようにして、ユーザは、外部ケース６５０と回路ケース６６０とから成る筐体を引っ張ったり縮めたりして、ランプ６００の全長を好みの長さに調節することができる。
以上説明したように、変形例３に係るランプ６００は、光源（発光モジュール６２０）、回路ケース６６０と光源（発光モジュール６２０）が収容された外部ケース６５０とから成る筐体、および、前記筺体に設けられた口金８０を有し、前記筐体は、ランプ軸方向に伸縮調整自在で、且つ、調整された長さにおいてその形態を維持することを特徴とする。
【００７４】
ここで、爪部材６４０が孔６５２から外れて、隣の孔６５２まで爪受け部材６５１の上をスライドするのを助けるために、孔６５２と孔６５２との間にガイドが設けられていてもよい。例えば、孔６５２と孔６５２との間に爪部材６４０がスライドするためのガイド用の溝を形成してもよい。
また、長さ調節の際には、爪部材６４０が固定されている舌片６６１にも応力がかかるため、外部ケース６６０が破損する可能性がある。そこで、外部ケース６６０の破損を防止するために、舌片６６１に金属板を取り付けて補強してもよい。
【００７５】
また、本変形例における爪部材６４０および爪受け部材６５１は金属製であった。これは、長さ調節が何度も繰り返された場合であっても、爪部材６４０および爪受け部材６５１が劣化するのを防止するために硬度が必要だからである。そのため、爪部材６４０および爪受け部材６５１は、金属製であることが望ましいが、金属と同様の硬度があれば他の材料を用いてもよい。
【００７６】
なお、本変形例では、図１３に示すように、爪受け部材６５１に６個の孔６５２が設けられていた。しかし、これは一例である、更に多くの孔６５２を爪受け部材６５１に設けてもよいのは勿論である。孔６５２の数が多いほど細かい長さ調整が可能となる。
また、本変形例では、図１４に示すように、爪受け部材６５１に設けられた孔６５２は貫通孔であった。しかし、これは一例であり、貫通孔であることは必須ではない。爪部材６４０が係止するような窪みが爪受け部材６５１に形成されていれば足りる。
【００７７】
また、本変形例では、爪部材６４０はねじによって実現されていた。しかし、爪部材６４０がねじであることは必須ではない。爪部材６４０は、爪受け部材６５１に引っ掛かって止まり、ユーザの操作に基づく外力により爪受け部材６５１の上をランプ軸方向にスライドする構成であれば足りる。
例えば、図１５に示す爪部材６４０ａは、中央部が突出するように金属板を折り曲げた板ばねである。板ばねの突出した中央部が、爪受け部材６５１の孔６５２に引っ掛かって、外部ケース６５０および回路ケース６６０のランプ軸方向へのスライドを制止する。この場合、板ばねを固定する舌片６６１ａには、図１４（ｂ）の舌片６６１と異なり、ねじ孔６６２を穿設する必要はない。
【００７８】
（４）上記の変形例３では、外筒となる外部ケース６５０に爪受け部材６５１が取り付けられており、内筒となる回路ケース６６０に、爪部材６４０または６４０ａが取り付けられていたが、これは逆でもよい。
すなわち、外部ケース６５０に爪部材６４０または６４０ａが取り付けられており、回路ケース６６０に爪受け部材６５１が取り付けられていてもよい。
【００７９】
（５）上記の変形例３では、爪部材６４０および６４０ａが爪受け部材６５１の孔６５２に引っ掛かって止まることで、ランプ６００の長さを固定している。ここでは、より確実にランプの長さを固定するために、外部ケースのランプ軸方向へのスライドを規制するロック機構を設けたランプについて説明する。
図１６は、変形例４に係るランプ７００の外観図であり、図１７は、ランプ７００の分解斜視図である。
【００８０】
図１６に示すように、ランプ７００は、拡散カバー７１０、外部ケース７５０、回路ケース（口金ホルダ）７６０、口金８０、および、ロック機構７９０から構成される。外部ケース７５０と回路ケース７６０とはスライド自在に嵌合されている。なお、図示していないが、ランプ７００は、発光モジュールおよび回路ユニットを備えている。
変形例３に係るランプ６００との相違は、以下の２点である。
【００８１】
第一に、ランプ７００では、内筒である回路ケース７６０に爪受け部材７６１が取り付けられており、外筒である外部ケース７５０に板ばね状の爪部材７４０が取り付けられていること。
第二に、ランプ７００では、板ばね状の爪部材７４０の動きを規制するためのロック機構７９０が、外部ケース７５０と回路ケース７６０との間に介挿されていること。
【００８２】
ロック機構７９０は、図１７に示すように、基部７９１、つまみ７９２、係止部７９３およびロック片７９４から構成される。
外部ケース７５０には、図１７に示すように、ロック機構７９０のつまみ７９２が外部に露出するように、開口７５１が設けられている。ユーザは、外部に露出したつまみ７９２をＹ軸方向にスライド操作することにより、ランプ７００をロック状態にしたり、アンロック状態にしたりすることができる。ロック状態とは、外部ケース７５０のＺ軸方向（ランプ軸方向）へのスライドが規制された状態である。アンロック状態とは、外部ケース７５０のＺ軸方向（ランプ軸方向）へのスライドが可能な状態である。ここで、図１６（ａ）は、アンロック状態のランプ７００を示している。図１６（ｂ）は、ロック状態のランプ７００を示している。
【００８３】
図１８（ａ）は、外部ケース７５０の内周面について説明するための断面図である。ここでは、ロック機構７９０の記載を省略している。図１７および図１８（ａ）に示すように、外部ケース７５０の内周面には、凹状の係止溝７５２、７５３と凸状のストッパ部材７５４とが設けられている。更に、外部ケース７５０の内周面には、凸状のストッパ部材７５４で囲まれた領域に、板ばね状の爪部材７４０が固定されている。板ばね状の爪部材７４０は、図１５に示した爪部材６４０ａと同一の構造を有する。
【００８４】
係止溝７５２および係止溝７５３は、所定の間隔を開けてＹ軸方向に並設されており、何れも、ロック機構７９０の係止部７９３と係合する形状となっている。
ロック機構７９０は、外部ケース７５０の内周面に沿って、Ｙ軸方向にスライドが可能である。
図１８（ｂ）は、ロック状態を示している。ロック状態のとき、ロック機構７９０の係止部７９３は、係止溝７５３に係合している。このとき、ロック機構７９０のロック片７９４は、図１９（ａ）に示すように、爪部材７４０の突出した中央部７４１により生じた空間内に入り込んだ位置で固定される。これにより、爪部材７４０が固定されている外部ケース７５０のランプ軸方向へのスライドが規制される。なお、仮に係止部７９３が係止溝７５３から外れたとしても、ロック機構７９０は凸状のストッパ部材７５４を越えてＹ軸方向へスライドすることはない。
【００８５】
図１８（ｃ）は、アンロック状態を示している。アンロック状態のとき、ロック機構７９０の係止部７９３は、係止溝７５２に係合している。このとき、ロック機構７９０のロック片７９４は、図１９（ｂ）に示すように、爪部材７４０の突出した中央部７４１により生じた空間内に入り込まない位置で固定される。したがって、外部ケース７５０は、ロック機構７９０によってその動きが規制されることはない。
【００８６】
図１７に戻り、回路ケース７５０について説明する。回路ケース７５０の外周面には、金属製の爪受け部材７６１が取り付けられている。爪受け部材７６１は、図１４（ｂ）および図１５（ａ）に示した爪受け部材６５１と同一の構造を有する。すなわち、爪受け部材７６１には、板ばね状の爪部材７４０を係止させるための複数個の孔７６２がランプ軸方向（Ｚ軸方向）に等間隔で穿設されている。爪部材７４０と爪受け部材７６１との関係は、変形例３で説明した通りである。爪部材７４０は、爪受け部材７６１に設けられた複数の孔７６２の何れかに引っ掛って止まり、外力が加わらなければ、その状態を維持する。
【００８７】
ユーザは、樹脂製の外部ケース７５０と樹脂製の回路ケース７６０とから成る筐体を引っ張ったり縮めたりして、ランプ７００の全長を好みの長さに調節することができる。更に、ユーザは、ランプ７００の全長を好みの長さに調節した状態で、ロック機構７９０のつまみ７９２を把持してロック機構７９０をスライドさせることにより、ランプ７００をロック状態にすることができる。これにより、確実にランプ７００の長さを固定することができる。
【００８８】
以上説明したように、変形例４に係るランプ７００は、光源（不図示）、回路ケース７６０と光源（不図示）が収容された外部ケース７５０とから成る筐体、および、前記筺体に設けられた口金８０を有し、前記筐体は、ランプ軸方向に伸縮調整自在で、且つ、調整された長さにおいてその形態を維持することを特徴とする。
（６）ここでは、本発明に係る照明装置の更なる別の変形例について説明する。
【００８９】
図２０は、変形例５に係るランプ８００の斜視図である。図２０（ａ）は、ランプ８００の全長が最短となっている状態を示し、図２０（ｂ）は、ランプ８００の全長が最長となっている状態を示す。また、図２１は、ランプ８００の断面図である。ここでも、伸縮構造を図示するために、回路ユニットの記載を省略している。
図２０および図２１に示すように、ランプ８００は、拡散カバー８１０、発光モジュール８２０、外部ケース８５０、回路ケース（口金ホルダ）８６０、および、口金８０から構成される。
【００９０】
図２１に示すように、外部ケース８５０と回路ケース８６０とはスライド自在に嵌合されている。
外筒である外部ケース８５０は、回路ケース８６０と嵌合する円柱形状の部分と、発光モジュール８２０を収容する朝顔形状の部分とから成る。また、外部ケース８５０には、一例として、円柱形状の部分の端部であって直径方向に対向する２箇所に爪部材（突起）８５１が設けられている。
【００９１】
一方、内筒である回路ケース８６０は、外径が大きい凸部８６１と外径が小さい凹部８６２とが周期的に繰り返された鋸歯（ギザギザ）形状を有する。更に、回路ケース８６０は、口金８０と反対側の開口部に、外部ケース８５０の抜け防止のために、凸部８６１よりも更に外径が大きい鍔部８６３を有する。
外部ケース８５０の爪部材８５１は、回路ケース８６０に設けられた複数の凹部８６２の何れかに引っ掛って止まり、外力が加わらなければ、その状態を維持する。
【００９２】
外部ケース８５０および回路ケース８６０は樹脂製である。そのため、ユーザが外部ケース８５０および回路ケース８６０から成る筐体に対し、ランプ軸方向に相対的に引っ張ったり縮めたりする力を加えると、外部ケース８５０および回路ケース８６０はある程度歪む。それにより、爪部材８５１にも応力がかかり、ある一つ凹部８６２に係止していた爪部材８５１は、該凹部８６２から外れ、凸部を越えて隣の凹部６５２に引っ掛かって止まる。
【００９３】
このようにして、ユーザは、外部ケース８５０と回路ケース８６０とから成る筐体を引っ張ったり縮めたりして爪部材８５１を係止させる凹部８６２の位置を変えることにより、ランプ８００の全長を好みの長さに調節することができる。
以上説明したように、変形例５に係るランプ８００は、光源（発光モジュール８２０）、回路ケース８６０と光源（発光モジュール８２０）が収容された外部ケース８５０とから成る筐体、および、前記筺体に設けられた口金８０を有し、前記筐体は、ランプ軸方向に伸縮調整自在で、且つ、調整された長さにおいてその形態を維持することを特徴とする。
【００９４】
本発明に係る照明装置は、これらの変形例１〜５で説明した構成以外であっても、光源と口金との間の距離が変動するようにその全長を調節することが可能な機構を備えるものであればよい。
（７）上記の実施形態１、実施形態４、変形例１〜５では、図１、図１０（ａ）、図１３等に示したように、グローブおよび拡散カバーの形状が朝顔形であった。しかし、グローブおよび拡散カバーの形状は朝顔形に限定されない。全長調節機能を有する筐体にどのような形状のグローブおよび拡散カバーを組み合わせてランプを構成してもよいのは勿論である。
【００９５】
（８）上記の実施形態１および実施形態２では、回路ユニット７０を口金ホルダ６０内に収納する構成を有していた。これは、発光モジュール２０の放熱効率を考慮して、発光モジュール２０からある程度の距離を確保して回路ユニット７０を配置しているためである。しかし、回路ユニット７０を口金ホルダ６０内に収納する構成には限定されない。筐体内の空きスペースに回路ユニット７０を収納すれば足りる。
【００９６】
（９）上記の実施形態１〜４では、ねじ９０はストッパ部材４０の基部４１に固定されている構成であったが、この構成は必須ではない。ねじ９０は口金ホルダ６０側に固定されていてもよい。すなわち、ねじ９０は、図５に示した方向と逆向きに口金ホルダ６０およびストッパ部材４０に差し込まれ、口金ホルダ６０の上壁６２に固定されていてもよい。
【００９７】
この場合も、口金ホルダ６０を固定した状態においてケース５０を回転させると、固定されたねじ９０に対してストッパ部材４０の基部４１が回転し、ねじ９０が基部４１の貫通孔４１ａにねじ込まれる。そうすると、基部４１が口金ホルダ６０に近づき、口金ホルダ６０の上端部６１がストッパ部材４０の空間４３内に差し込まれる。それにより、ストッパ部材４０の舌片４２が反り返り、延出端４２ａがケース５０の内周面５１に引っ掛かる。その結果、ストッパ部材４０のケース５０に対するランプ軸Ｊ方向へのスライドが規制される。すなわち、口金ホルダ６０に対してケース５０を回転させると、ストッパ部材４０および口金ホルダ６０に対してケース５０が固定され、ロックオン状態になる。また、口金ホルダ６０に対してケース５０を逆方向に回転させると、口金ホルダ６０はケース５０に対してランプ軸Ｊに沿った方向へのスライド移動の規制が解除されロックオフ状態になる。
【００９８】
（１０）上記の各実施形態および上記の変形例を適宜組み合わせてもよい。
＜補足＞
以下、更に本発明の一実施形態としての照明装置および器具の構成およびその変形例と効果について説明する。
照明装置は、光源２０、光源２０が収容された筐体、および、前記筺体に設けられた口金８０を有するランプ１と、口金８０が装着されてランプ１の姿勢を保持する器具３とを備える。ここで、前記筐体は、ランプ軸Ｊ方向に伸縮調整自在で、且つ、調整された長さにおいてその形態を維持することを特徴とする。
【００９９】
このように、ランプ１は、筐体を適切な長さに伸縮調整し、その形態を維持することが可能である。そこで、ランプ１の取付時に口金がソケットに届かない場合には、筐体を伸ばせばよい。また、ランプ１と天井板との間に隙間が生じてしまう場合には筐体を縮めればよい。このように、ランプ１を用いれば、取付時に生じる不具合を解消して、ユーザの利便性を向上させることができる。
【０１００】
ここで、前記筐体は、光源２０が収容された第１筒状体５０と、口金８０が設けられた第２筒状体６０とから成る。第１筒状体５０と第２筒状体６０とはそれぞれ筒径が異なり、筒径の大きい一方に筒径の小さい他方が内挿されて、スライド自在に嵌合されている。そして、ランプ１は、更に、スライド移動を制止する部材４０を備える。
更に、スライド移動を制止する部材４０は、第１筒状体５０と第２筒状体６０との間に介挿されて、摩擦によってスライド移動を制止する制動部材であってもよい。より具体的に、前記制動部材は、円板状の基部４１と、円板状の基部４１の外周縁からランプ軸方向に沿って延出した複数の舌片４２とで構成される籠型形状であってもよい。
【０１０１】
この構成によると、簡易な構造により伸縮調整および形態維持が可能な筐体を実現することが可能である。更に、部材４０は、第１筒状体５０と第２筒状体６０との間に介挿されていることから、部材４０が外部に露出せず、見た目に美しい筐体を実現することが可能である。
ここで、第１筒状体４５０および第２筒状体４６０の一方の壁面には、ランプ軸方向に所定間隔で２以上の貫通孔（４５１、４６１）が穿設されている。また、第１筒状体４５０および第２筒状体４６０の他方の壁面には、ランプ軸方向に少なくとも１つの貫通孔（４５１、４６１）が穿設されている。また、スライド移動を制止する部材はピン４４０である。そして、第１筒状体４５０に穿設された貫通孔４５１と第２筒状体４６０に穿設された貫通孔との位置を合わせた状態でピン４４０を挿入する。これにより、第１筒状体４５０と第２筒状体４６０とは、調整された長さにおいてその形状を維持するとしてもよい。
【０１０２】
このように、貫通孔の位置を合わせてピンを挿入する構成は、あらゆるユーザにとって筐体の伸縮調整の方法が自明であり、簡単に筐体の長さの調整することが可能である。
ここで、前記筐体の少なくとも一部は、ランプ軸方向に伸縮自在な蛇腹管５５０で構成されていてもよい。
この構成は、あらゆるユーザにとって筐体の伸縮調整の方法が自明であり、簡単に筐体の長さを調整することが可能であることに加えて、筐体の構成部材も少なくて済むため、製造の手間やコストの面においても有利である。
【０１０３】
また、ランプ１００の筺体は、伸縮調整自在な部分（１５０、６０）と、光源２０が収容される部分（１１０）とから成る。ランプ１００は、更に、光源２０が収容される部分１１０を伸縮調整自在な部分（１５０、６０）に対して回転自在、且つ、揺動自在に連結する連結機構（１１１、１５１）を有するとしてもよい。
この構成によると、ランプ１００の取付時に生じる不具合を解消して、ユーザの利便性を向上させることができる。更には、ランプ１００の利用シーンに応じて、照射角度を様々に変えることが可能である。
【０１０４】
ここで、筺体（１５０、６０）を最長に延ばした状態において、ランプ１００の発光面１０３の少なくとも一部が、器具３の開口面よりも外部に露出する構成であることが望ましい。
この構成によると、天井埋め込み型の器具３を用いてランプ１００を天井板２に取り付ける場合であっても、ランプ１００から出射された光が天井板２によって遮断されるのを抑制することができる。
【０１０５】
また、器具２００は、ランプの口金が装着されるソケット２８０と、前記ランプの少なくとも一部が収容される器具本体２１０と、ソケット２８０を器具本体２１０に連結するための筒状体（２５０、２６０）とを備える。ここで、筒状体（２５０、２６０）は、ランプ軸方向に伸縮調整自在で、且つ、調整された長さにおいてその形態を維持することを特徴とする。
【０１０６】
この構成によると、器具２００は、筒状体（２５０、２６０）を適切な長さに伸縮調整することができる。そこで、器具２００にランプを取り付ける際に、口金がソケット２８０に届かない場合には、筒状体（２５０、２６０）を伸ばせばよい。また、ランプと天井板との間に隙間が生じてしまう場合には、筒状体（２５０、２６０）を縮めればよい。このように、器具２００は、ランプの取付時に生じる不具合を解消して、ユーザの利便性を向上させることができる。
【０１０７】
また、照明装置３００は、光源２０および光源２０が収容された筐体（５０、６０）を備えるランプ３０１と、ランプ３０１の少なくとも一部が収容されるランプ収容部３２０ａとを備える。ここで、筺体（５０、６０）は、ランプ軸方向に伸縮調整自在で、且つ、調整された長さにおいてその形態を維持することを特徴とする。
この構成によると、照明装置３００を天井板に取り付ける際に、天井板に設けられた開口とランプとの位置関係を、ユーザの好みに合うように変更することができる。
【０１０８】
ここで、照明装置３００は、筺体５０に接続されたモータ３０５を備える。また、照明装置３００は、前記筺体の伸縮度合に係る指示を外部から受け付ける指示検出回路３０４ａと、受け付けた前記指示に応じて前記筺体を伸縮させるためにモータ３０５を駆動させるモータ駆動回路３０４ｃとを備えてもよい。
この構成によると、ユーザは、遠隔操作によりランプ３０１の位置を変更することが可能となる。
【符号の説明】
【０１０９】
１、１００、４００、５００、６００、７００、８００      ランプ
２０、６２０、８２０      発光モジュール（光源）
４０      ストッパ部材（制動部材）
４１      基部
４２      舌片
５０      ケース（第１筒状体）
６０      口金ホルダ（第２筒状体）
８０      口金
１１０      光源保持部（筐体）
１１１      軸受部（連結機構）
１５０      ケース（筐体）
１５１      軸部（連結機構）
３、２００      器具
２１０      器具本体
２５０      筒状体
２６０      ソケットホルダ（筒状体）
２８０      ソケット
３００      照明装置
３２０ａ    ランプ収容部
３０４ａ    指示検出回路
３０４ｃ    モータ駆動回路
３０５      モータ
４４０      ピン（スライドを制止する部材）
４５０      ケース（筐体）
４６０      口金ホルダ（筐体）
４５１、４６１    貫通孔
５５０      蛇腹管（筐体）
６５０、７５０、８５０      外部ケース（第１筒状体）
６６０、７６０、８６０      回路ケース（第２筒状体）
６４０、６４０ａ、７４０、８５１      爪部材（スライドを制止する部材）
６５１、７６１      爪受け部材（スライドを制止する部材）
７９０      ロック機構（スライドを制止する部材）
８９１      凸部（スライドを制止する部材）
８６２      凹部
【図１】
0006384757.tif 000002
【図２】
0006384757.tif 000003
【図３】
0006384757.tif 000004
【図４】
0006384757.tif 000005
【図５】
0006384757.tif 000006
【図６】
0006384757.tif 000007
【図７】
0006384757.tif 000008
【図８】
0006384757.tif 000009
【図９】
0006384757.tif 000010
【図１０】
0006384757.tif 000011
【図１１】
0006384757.tif 000012
【図１２】
0006384757.tif 000013
【図１３】
0006384757.tif 000014
【図１４】
0006384757.tif 000015
【図１５】
0006384757.tif 000016
【図１６】
0006384757.tif 000017
【図１７】
0006384757.tif 000018
【図１８】
0006384757.tif 000019
【図１９】
0006384757.tif 000020
【図２０】
0006384757.tif 000021
【図２１】
0006384757.tif 000022